(57)【要約】【課題】本発明は、電話機からの操作で情報処理装置を制御することによって電話サービスが利用でき、更に、他のメディアとの情報のやりとりが容易になるような高度で便利な通信支援装置、通信支援サービスの実行方法及び記憶媒体を提供することを目的とする。【解決手段】電話機と情報処理装置が通信制御装置を介して通信網と接続する通信支援装置において、電話機からの所定の制御信号を検出する制御信号検出手段と、該制御信号検出手段にて検出された所定の制御信号を解析する制御信号解析手段と、該制御信号解析手段にて解析された所定の制御信号に基づいて情報処理装置を制御する情報制御手段とを有し、前記情報処理装置は、前記情報制御手段の制御により通信データを受信するデータ受信手段と、該データ受信手段にて受信した通信データを蓄積する通信データ蓄積手段と、前記情報制御手段の制御により該通信データ蓄積手段にて蓄積されている通信データを送信するデータ送信手段とを有する構成とする。【選択図】図５
2006157978.tif 000002
【特許請求の範囲】
【請求項１】
電話機と情報処理装置が通信制御装置を介して通信網と接続する通信支援装置において、
電話機からの所定の制御信号を検出する制御信号検出手段と、
該制御信号検出手段にて検出された所定の制御信号を解析する制御信号解析手段と、
該制御信号解析手段にて解析された所定の制御信号に基づいて情報処理装置を制御する情報制御手段とを有し、
前記情報処理装置は、前記情報制御手段の制御により通信データを受信するデータ受信手段と、
該データ受信手段にて受信した通信データを蓄積する通信データ蓄積手段と、
前記情報制御手段の制御により該通信データ蓄積手段にて蓄積されている通信データを送信するデータ送信手段とを有することを特徴とする通信支援装置。
【請求項２】
請求項１記載の通信支援装置において、
電話機からの音声データを直接通信網に接続するか、または電話機からの音声データを情報処理装置からの通信データと同様のデータ形式に変調及び復調して通信網に接続するかを切り替える切替手段を有することを特徴とする通信支援装置。
【請求項３】
請求項１または２記載の通信支援装置において、
前記情報処理装置は、前記情報制御手段の制御により通信網から通知された電話番号を登録処理する電話帳登録手段と、
該電話帳登録手段の処理により通知された電話番号を記憶する電話帳記憶手段とを有することを特徴とする通信支援装置。
【請求項４】
請求項３記載の通信支援装置において、
ダイヤルの終了信号を検出するダイヤル終了信号検出手段と、
前記電話番号を電話機に表示させる制御を実行する表示制御手段とを有し、
前記電話帳登録手段は、該ダイヤル終了信号検出手段にてダイヤルの終了信号を検出後、該表示制御手段にて通知された電話番号を電話機に表示させ、該電話機の使用者が許可した電話番号を前記電話帳記憶手段に記憶することを特徴とする通信支援装置。
【請求項５】
請求項１乃至４いずれか一項記載の通信支援装置において、
所定の制御信号は、ダイヤルパルス、ＤＴＭＦ信号、特定の周波数毎に割り当てられた信号の内の少なくとも一つの信号とし、情報制御手段は、該信号に基づいて音声の録音、再生及び通信データの受信、送信並びに電話番号の登録の制御を実行することを特徴とする通信支援装置。
【請求項６】
電話機と情報処理装置が通信制御装置を介して通信網と接続する通信支援装置で動作する通信支援サービスの実行方法において、
電話機からの所定の制御信号を検出する制御信号検出ステップと、
該制御信号検出ステップにて検出された所定の制御信号を解析する制御信号解析ステップと、
該制御信号解析ステップにて解析された所定の制御信号に基づいて情報処理装置を制御する情報制御ステップと、
前記情報処理装置が前記情報制御ステップにより通信データを受信するデータ受信ステップと、
該データ受信ステップにて受信した通信データを蓄積する通信データ蓄積ステップと、
前記情報制御ステップにより該通信データ蓄積ステップにより蓄積されている通信データを送信するデータ送信ステップとを有することを特徴とする通信支援サービスの実行方法。
【請求項７】
電話機と情報処理装置が通信制御装置を介して通信網と接続する通信支援装置に実行させるプログラムを記憶した記憶媒体において、
電話機からの所定の制御信号を検出する制御信号検出機能と、
該制御信号検出機能にて検出された所定の制御信号を解析する制御信号解析機能と、
該制御信号解析機能にて解析された所定の制御信号に基づいて情報処理装置を制御する情報制御機能と、
前記情報処理装置が前記情報制御機能により通信データを受信するデータ受信機能と、
該データ受信機能にて受信した通信データを蓄積する通信データ蓄積機能と、
前記情報制御機能により該通信データ蓄積機能により蓄積されている通信データを送信するデータ送信機能とを更に実現させるためのプログラムを記憶したコンピュータ読み取り可能な記憶媒体。
【発明の詳細な説明】
【技術分野】
【０００１】
本発明は、電話機と情報処理装置が通信制御装置を介して通信網に接続する通信支援装置において、情報処理装置を利用した電話サービスを実行する通信支援装置、通信支援サービスの実行方法及び記憶媒体に関する。
【背景技術】
【０００２】
近年、日本においてもパソコンは家庭に普及しつつある。また、インターネットやパソコン通信の利用を目的として電話回線を使用するモデムも同じように普及しつつある。即ち、現在では従来の電話機とパソコンが電話回線を使用している。
【０００３】
ところが、パソコンには電話サービスのアプリケーションが内蔵されているが、このアプリケーションの操作はパソコンに接続されているキーボードやマウス等の入力装置で行われており、電話機との一体感がなく、更に電話機とパソコンはそれぞれ別々の使われ方をしている。
【０００４】
現在、電話機からの操作でパソコンを制御することによって、パソコンの電話サービスが利用でき、更に、他のメディアとの情報のやりとりが容易になるような高度で便利な通信支援装置が要求されている。
【０００５】
従来の通信支援装置は、既存の電話サービスを実行可能なアプリケーションが搭載され、情報処理装置の入出力の、例えば、キーボードやマウス等の入力によって電話サービスを実行している。
【０００６】
図２９は、従来の通信支援装置の構成を示す。
【０００７】
図２９において、従来の通信支援装置は、既存の電話機３０１と、情報処理装置３０４と、電話回線としての通信網３０２と、電話機３０１及び情報処理装置３０４と通信網３０２を接続する回線接続部３０３と、電話機３０１及び通信網３０２からの音声データを情報処理装置３０４に入力し、情報処理装置３０４に録音されている音声データを電話機３０１及び通信網３０２を接続する回線に出力する音声入出力回路３０５と、情報処理装置３０４のキーボードやマウスから入力される電話番号を発信するダイヤル回路３０６と、回線からのビジートーン、ＲＩＮＧトーン、ＲＢＴ（リングバックトーン）、オンフック、オフフックを検出する各種検出回路３０７と、回線からの信号と情報処理装置をインターフェースするＰＣインターフェース部３０８で構成される。
【０００８】
上記のように構成される従来の通信支援装置において、第三者へのダイヤルを情報処理装置に記憶されている電話サービスのアプリケーションで実行する場合、情報処理装置の使用者は、入力装置としての、例えば、キーボード及びマウスから電話番号を入力し、ダイヤルボタンを押す。ここで、使用者が電話機３０の受話器を持ち上げると、各種検出回路３０７がオフフックを検出し、回線接続部３０３が電話機３０１と通信網３０２を接続し、使用者は第三者と会話が可能となる。
【０００９】
また、会話中の録音を電話サービスのアプリケーションで実行する場合、情報処理装置３０４の使用者は、アプリケーション上の会話中録音ボタンを押す。ここで、情報処理装置３０４は、通話中の回線上の音声データを音声入出力回路３０５を介して入手する。情報処理装置３０４のアプリケーションは、この音声データを情報処理装置３０４が記憶できる形式に変換して情報処理装置３０４内に記憶する。録音処理は、使用者がアプリケーション上の録音停止ボタンを押すまで続けられる。
【００１０】
また、情報処理装置３０４内に録音されている音声データを電話サービスのアプリケーションで再生する場合、情報処理装置３０４の使用者は、アプリケーション上の再生ボタンを押す。ここで、アプリケーションは、情報処理装置内に記憶されているデータを音声データに変換し、音声入出力回路３０５を介して回線を接続する。再生は、使用者がアプリケーションの再生停止ボタンを押すか、再生データが終了するまで続けられる。
【００１１】
また、情報処理装置３０４内に電話番号を電話サービスのアプリケーションで登録する場合、情報処理装置３０４の使用者は、アプリケーションの操作で入力した電話番号を記憶しておき、情報処理装置３０４のキーボード及びマウスからの操作で電話番号登録処理を実行する。
【発明の開示】
【発明が解決しようとする課題】
【００１２】
しかしながら、従来の通信支援装置では、電話機からの操作による音声の録音及び再生、通信データの転送、情報処理装置への電話番号登録等の電話サービスのアプリケーションを実行できないという問題があった。
【００１３】
本発明は、電話機からの操作で情報処理装置を制御することによって電話サービスが利用でき、更に、他のメディアとの情報のやりとりが容易になるような高度で便利な通信支援装置、通信支援サービスの実行方法及び記憶媒体を提供することを目的とする。
【課題を解決するための手段】
【００１４】
そこで、上記課題を解決するため、本発明の通信支援装置は、請求項１に記載のように
電話機と情報処理装置が通信制御装置を介して通信網と接続する通信支援装置において、電話機からの所定の制御信号を検出する制御信号検出手段（後述する実施例の制御用信号検出回路６、ＤＴＭＦ検出回路１０５、パルス信号検出回路２０５に相当）と、該制御信号検出手段にて検出された所定の制御信号を解析する制御信号解析手段（後述する実施例の制御信号解析回路１１、情報処理装置１１２に相当）と、該制御信号解析手段にて解析された所定の制御信号に基づいて情報処理装置を制御する情報制御手段（後述する実施例の情報制御回路７、情報処理装置１１２に相当）とを有し、
前記情報処理装置は、前記情報制御手段の制御により通信データを受信するデータ受信手段（後述する実施例のデータ受信回路２０、情報処理装置１１２に相当）と、該データ受信手段にて受信した通信データを蓄積する通信データ蓄積手段（後述する実施例のデータ蓄積回路２１、情報処理装置１１２に相当）と、前記情報制御手段の制御により該通信データ蓄積手段にて蓄積されている通信データを送信するデータ送信手段（後述する実施例のデータ送出回路１９、情報処理装置１１２に相当）とを有する構成とする。
前記情報処理装置は、前記情報制御手段の制御により通信データを受信するデータ受信手段（後述する実施例のデータ受信回路２０、情報処理装置１１２に相当）と、該データ受信手段にて受信した通信データを蓄積する通信データ蓄積手段（後述する実施例のデータ蓄積回路２１、情報処理装置１１２に相当）と、前記情報制御手段の制御により該通信データ蓄積手段にて蓄積されている通信データを送信するデータ送信手段（後述する実施例のデータ送出回路１９、情報処理装置１１２に相当）とを有する構成とする。
【００１５】
本発明の通信支援装置の情報処理装置は、データ受信手段と通信データ蓄積手段とデータ送信手段とを有することによって、電話サービスのアプリケーションとして、例えば、通信データの転送が実行可能となる。
【００１６】
また、本発明の通信支援装置は、請求項２に記載のように、請求項１記載の通信支援装置において、電話機からの音声データを直接通信網に接続するか、または電話機からの音声データを情報処理装置からの通信データと同様のデータ形式に変調及び復調して通信網に接続するかを切り替える切替手段（後述する実施例の切替器２２、切替器１１３に相当）を有する構成とする。
【００１７】
本発明の通信支援装置は、切替手段が電話機からの音声データを直接通信網に接続する場合は、電話機からの音声データのみを通信網へ接続し、電話機からの音声データを情報処理装置からの通信データと同様のデータ形式に変調及び復調して通信網に接続する場合は、電話機からの音声データと情報処理装置からの通信データを同時に送信することが可能となる。
【００１８】
また、本発明の通信支援装置は、請求項３に記載のように、請求項１または２記載の通信支援装置において、前記情報処理装置は、前記情報制御手段の制御により通信網から通知された電話番号を登録処理する電話帳登録手段（後述する実施例の電話帳登録回路３７、情報処理装置路１１２に相当）と、該電話帳登録手段の処理により通知された電話番号を記憶する電話帳記憶手段とを有する構成とする。
【００１９】
本発明の通信支援装置の情報処理装置は、電話帳登録手段と電話帳記憶手段とを有することによって、電話サービスのアプリケーションとして、例えば、情報処理装置への電話番号登録が実行可能となる。
【００２０】
また、本発明の通信支援装置は、請求項４に記載のように、請求項３記載の通信支援装置において、通話の終了信号を検出する通話終了信号検出手段（後述する実施例のダイヤル終了信号検出回路３３、各種検出回路１１４に相当）と、前記電話番号を電話機に表示させる制御を実行する表示制御手段（後述する実施例の表示制御回路３４、情報処理装置１１２に相当）とを有し、前記電話帳登録手段は、該ダイヤル終了信号検出手段にてダイヤルの終了信号を検出後、該表示制御手段にて通知された電話番号を電話機に表示させ、該電話機の使用者が許可した電話番号を前記電話帳記憶手段に記憶することを特徴とする。
【００２１】
本発明の通信支援装置の情報処理装置は、電話機の使用者の意思によって必要な電話番号だけを電話帳記憶手段に記憶することが可能となる。
【００２２】
また、本発明の通信支援装置は、請求項５に記載のように、請求項１乃至４いずれか一項記載の通信支援装置において、所定の制御信号は、ダイヤルパルス、ＤＴＭＦ信号、特定の周波数毎に割り当てられた信号の内の少なくとも一つの信号とし、情報制御手段は、該信号に基づいて音声の録音、再生及び通信データの受信、送信並びに電話番号の登録の制御を実行することを特徴とする。  従って、本発明の通信支援装置は、既存の電話機をそのまま使用することが可能となる。
【００２３】
また、本発明の通信支援装置で動作する通信支援サービスの実行方法は、請求項６に記載のように、電話機と情報処理装置が通信制御装置を介して通信網と接続する通信支援装置で動作する通信支援サービスの実行方法において、電話機からの所定の制御信号を検出する制御信号検出ステップ（後述する実施例のＳ３２、Ｓ３３、Ｓ３４、Ｓ３５、Ｓ３６、Ｓ３７、Ｓ３８に相当）と、該制御信号検出ステップにて検出された所定の制御信号を解析する制御信号解析ステップ（後述する実施例のＳ１０１、Ｓ１０２、Ｓ１０３、Ｓ１０４に相当）と、該制御信号解析ステップにて解析された所定の制御信号に基づいて情報処理装置を制御する情報制御ステップ（後述する実施例のＳ１０５、Ｓ１０６に相当）と、前記情報処理装置が前記情報制御ステップにより通信データを受信するデータ受信ステップと、  該データ受信ステップにて受信した通信データを蓄積する通信データ蓄積ステップと、前記情報制御ステップにより該通信データ蓄積ステップにより蓄積されている通信データを送信するデータ送信ステップとを有する。
【００２４】
また、本発明の通信支援装置に実行させるプログラムを記憶した記憶媒体は、請求項７に記載のように、電話機と情報処理装置が通信制御装置を介して通信網と接続する通信支援装置に実行させるプログラムを記憶した記憶媒体において、電話機からの所定の制御信号を検出する制御信号検出機能（後述する実施例の制御用信号検出回路６、ＤＴＭＦ検出回路１０５、パルス信号検出回路２０５に相当）と、該制御信号検出機能にて検出された所定の制御信号を解析する制御信号解析機能（後述する実施例の制御信号解析回路１１、情報処理装置１１２に相当）と、該制御信号解析機能にて解析された所定の制御信号に基づいて情報処理装置を制御する情報制御機能（後述する実施例の情報制御回路７、情報処理装置１１２に相当）と、前記情報処理装置が前記情報制御機能により通信データを受信するデータ受信機能（後述する実施例のデータ受信回路２０、情報処理装置１１２に相当）と、該データ受信機能にて受信した通信データを蓄積する通信データ蓄積機能と、前記情報制御機能により該通信データ蓄積機能により蓄積されている通信データを送信するデータ送信機能（後述する実施例のデータ送出回路１９、情報処理装置１１２に相当）とを更に実現させる。
【発明の効果】
【００２５】
本発明の通信支援装置によれば、電話機からの操作で情報処理装置を制御することによって情報処理装置の電話サービスが利用でき、更に、他のメディアとの情報のやりとりが容易になるような高度で便利な通信支援装置を提供することが可能となる。
【００２６】
また、コードレスの電話機を使用することによって、情報処理装置の近くに移動することなく、電話機から電話サービスのアプリケーションを実行できる。
【発明を実施するための最良の形態】
【００２７】
以下、本発明の通信支援装置の実施例を図面に基づいて説明する。
【００２８】
図１は、本発明の通信支援装置の概念図を示す。
【００２９】
図１において、通信支援装置は、電話機１と通信制御装置２と情報処理装置３と通信網４で構成され、電話機１及び情報処理装置３を通信制御装置２を介して通信網４に接続している。
【００３０】
電話機１は、既存の音声送受信とダイヤル機能を有する。
【００３１】
通信制御装置２は、電話機１及び情報処理装置３を回線と接続する回線接続部５と、電話機１からの所定の制御信号として、例えば、ダイヤルパルス、ＤＴＭＦ信号、または特定の周波数毎に割り当てられた信号を検出する制御用信号検出回路６で構成され、電話機１及び情報処理装置３を通信網４に接続する機能を有する。
【００３２】
情報処理装置３は、電話機１からの前記所定の制御信号に基づいて情報処理装置３を制御する情報制御回路７を有し、情報処理装置３の電話サービスのアプリケーションを実行する機能を有する。
【００３３】
図１のように構成される通信支援装置は、通信制御装置２に電源が供給されていない場合は、回線接続部５が電話機１と通信網４を直接接続し、通信制御装置２に電源が供給されている場合は、回線接続部５が電話機１と制御用信号検出回路６とを接続する。制御用信号検出回路６は、電話機１と通信網４を接続する回線上の所定の制御信号を検出する。検出された結果は、情報制御回路７にイベントとして通知される。情報制御回路７は、通知されたイベントに対応する情報処理装置３の電話サービスのアプリケーションである会話中録音及び再生、通信データの転送、電話帳登録等を実行する。
【００３４】
ここでいう所定の制御信号は、例えば、図２、図３のように定義され、ダイヤルパルス、ＤＴＭＦ信号、または特定の周波数毎に割り当てられた信号にそれぞれ割り当てられた電話サービスのアプリケーションを実行するためのコマンドとして定義される。また、特定の周波数毎に割り当てられた信号とは、図３のように所定の周波数のトーン信号を発生する特別に設定されたボタンとして、例えば、録音ボタン、再生ボタン等をいう。尚、図２及び図３で定義したそれぞれの信号に対する電話サービスのアプリケーションは、説明上便宜的に設定したものであり、サービスの種類及びコマンドの種類等はこの限りではない。
【００３５】
以後、図２に示すＤＴＭＦ信号を電話サービスのアプリケーションに対応させた通信支援装置を図４、図５、図６の概念図に従って説明する。尚、ダイヤルトーン及び特定の周波数毎に割り当てられた信号の説明は、ＤＴＭＦ信号と置き換えることで説明できる。
【００３６】
図４は、本発明の第１実施形態の概念図を示す。
【００３７】
図４において、通信支援装置は、図１と同様に電話機１と通信制御装置２と情報処理装置３と通信網４で構成され、電話機１及び情報処理装置３を通信制御装置２を介して通信網４に接続している。尚、図１で説明した図４と同一の構成については、同一の符号を付して説明を省略する。
【００３８】
電話機１は、離れた場所から無線データを送受信可能なコードレス電話機９と、コードレス電話機９からの無線信号を音声データに変換し、更に回線からの音声データを無線信号に変換する無線信号変換回路８で構成され、既存の音声送受信とダイヤル機能を有する。尚、電話機１は、コードレス電話機には限らない。  通信制御装置２は、電話機１及び情報処理装置３を回線と接続する回線接続部５と、電話機１からのＤＴＭＦ信号を検出する制御用信号検出回路６と、電話機１及び通信網４からの音声データを情報処理装置に入出力制御する音声入出力制御回路１０で構成され、電話機１及び情報処理装置３を通信網４に接続する機能を有する。
【００３９】
情報処理装置３は、電話機１からのＤＴＭＦ信号を解析してその解析結果を情報制御回路７に通知する制御信号解析回路１１と、制御信号解析回路１１からの通知に基づいて情報処理装置３を制御する情報制御回路７と、情報制御回路７の制御により電話機１と通信網４を接続する回線上の会話の録音処理を実行する音声録音回路１２と、回線からの音声を蓄積可能なデータ形式に変換する音声形式変換回路１４と、音声形式変換回路１４にて変換された音声データを蓄積する音声データ蓄積回路１５と、音声データ蓄積回路１５に蓄積されている音声データを読み出して再生する音声再生回路１３で構成され、電話機１からのＤＴＭＦ信号に基づいて情報処理装置３の電話サービスのアプリケーションである、例えば、音声の録音及び再生を実行する機能を有する。
【００４０】
図４のように構成される通信支援装置は、通信制御装置２に電源が供給されていない場合は、回線接続部５が電話機１と通信網４を直接接続し、通信制御装置２に電源が供給されている場合は、回線接続部５が制御用信号検出回路６を介して電話機１と通信網４とを接続する。制御用信号検出回路６は、電話機１と通信網４を接続する回線上のＤＴＭＦ信号を検出する。検出された結果が図２に示す制御信号に対応する場合、制御用信号検出回路６は、情報制御回路７にイベントとしてその情報を通知する。
【００４１】
ここで、制御信号解析回路１１によるＤＴＭＦ信号の解析の結果、例えば、電話機１からＤＴＭＦ信号'＊１'が押されていた場合、情報制御回路７は、音声録音回路１２に対して情報処理装置３の電話サービスのアプリケーションである会話中録音を開始するように制御し、電話機１からＤＴＭＦ信号'＊２'が押されると、会話中録音を終了するように制御する。更に、電話機１からＤＴＭＦ信号'＊３'が押された場合、情報制御回路７は、音声録音回路１２に対して録音されている音声データを再生するように制御し、電話機１からＤＴＭＦ信号'＊４'が押されると再生を終了するように制御する。
【００４２】
音声録音回路１２では、音声形式変換回路１４が変換した音声データを音声データ蓄積回路１５に蓄積することにより録音処理を行っている。また、音声再生回路１３では、音声データ蓄積回路１５に蓄積されている音声データを読み出し、更に音声形式変換回路１４が変換した音声データを音声入出力回路１０に出力することにより再生処理を行っている。
【００４３】
図５は、本発明の第２実施形態の概念図を示す。
【００４４】
図５において、通信支援装置は、図１と同様に電話機１と通信制御装置２と情報処理装置３と通信網４で構成され、電話機１及び情報処理装置３を通信制御装置２を介して通信網４に接続している。尚、図１で説明した図５と同一の構成については、同一の符号を付して説明を省略する。
【００４５】
電話機１は、コードレス電話機９と無線信号変換回路８で構成され、既存の音声送受信とダイヤル機能を有する。尚、電話機１は、コードレス電話機には限らない。
【００４６】
通信制御装置２は、電話機１及び情報処理装置３を回線と接続する回線接続部５と、電話機１からのＤＴＭＦ信号を検出する制御用信号検出回路６と、電話機１からの音声を通信データと同じデータ形式に変調し、更に通信網４からの通信データと同じデータ形式の音声データを電話機１の音声に復調する音声符号化複合化回路１６と、通信データを通信するためのデータ用変調復調回路１７と、電話サービスの通信データと音声データを同時または別々に通信するサービスを実行する時に音声符号化複合化回路１６に接続され、通常は通信網４側に接続されている切替器２２で構成され、電話機１及び情報処理装置３を通信網４に接続する機能を有する。
【００４７】
情報処理装置３は、電話機１からのＤＴＭＦ信号を解析してその解析結果を情報制御回路７に通知する制御信号解析回路１８と、制御信号解析回路１８からの通知に基づいて情報処理装置３を制御する情報制御回路７と、情報制御回路７の制御により通信網４と情報処理装置３を接続する回線からの通信データを受信するデータ受信回路２０と、回線からの通信データを蓄積するデータ蓄積回路２１と、データ蓄積回路２１に蓄積されている通信データを読み出して送出するデータ送出回路１９で構成され、電話機１からのＤＴＭＦ信号に基づいて情報処理装置３の電話サービスのアプリケーションである、例えば、通信データの転送を実行する機能を有する。
【００４８】
図５のように構成される通信支援装置は、通信制御装置２に電源が供給されていない場合は、回線接続部５が電話機１と通信網４を直接接続し、通信制御装置２に電源が供給されている場合は、回線接続部５が制御用信号検出回路６を介して電話機１と通信網４とを接続する。制御用信号検出回路６は、電話機１と通信網４を接続する回線上のＤＴＭＦ信号を検出する。検出された結果が図２に示す制御信号に対応する場合、制御用信号検出回路６は、情報制御回路７にイベントとしてその情報を通知する。
【００４９】
ここで、制御信号解析回路１８によるＤＴＭＦ信号の解析の結果、例えば、電話機１からＤＴＭＦ信号'＊７'が押されていた場合、情報制御回路７は、データ送出回路１９に対して情報処理装置３の電話サービスのアプリケーションである通信データの送信を開始するように制御し、電話機１からＤＴＭＦ信号'＊８'が押されると、通信データの送信を終了するように制御する。尚、通信データの受信は、情報処理装置３にて自動的に受信するため、電話機１からの制御は特に必要としない。
【００５０】
データ受信回路２０では、情報処理装置３の電話サービスとしてデータ用変調復調回路１７からの通信データをデータ蓄積回路２１にする処理を行っている。また、データ送出回路１９では、データ蓄積回路２１に蓄積されている通信データを読み出してデータ用変調復調回路１７に出力する処理を行っている。
【００５１】
図６は、本発明の第３実施形態の概念図を示す。
【００５２】
図６において、通信支援装置は、図１と同様に電話機１と通信制御装置２と情報処理装置３と通信網４で構成され、電話機１及び情報処理装置３を通信制御装置２を介して通信網４に接続している。尚、図１で説明した図６と同一の構成については、同一の符号を付して説明を省略する。
【００５３】
電話機１は、コードレス電話機９と無線信号変換回路８と、情報処理装置３からの情報を表示する表示部３２と、情報処理装置３からの無線信号を表示部３２で表示可能なデータ形式に変換する無線信号変換回路３１で構成され、既存の音声送受信とダイヤル機能を有する。尚、電話機１は、コードレス電話機には限らない。
【００５４】
通信制御装置２は、電話機１及び情報処理装置３を回線と接続する回線接続部５と、電話機１からのＤＴＭＦ信号を検出する制御用信号検出回路６と、電話機１の使用者と第三者の通話が終了したことを検出するダイヤル終了信号検出回路３３で構成され、電話機１及び情報処理装置３を通信網４に接続する機能を有する。
【００５５】
情報処理装置３は、電話機１からのＤＴＭＦ信号を解析してその解析結果を情報制御回路７に通知する制御信号解析回路３５と、前記解析結果を記憶する解析結果記憶回路３６と、制御信号解析回路３６からの通知に基づいて情報処理装置３を制御する情報制御回路７と、情報制御回路７の制御により第三者の電話番号を登録する処理を実行する電話帳登録回路３７と、情報制御回路７の制御により表示部３２に表示するデータを生成する表示制御回路３４と、電話帳登録回路３７の処理により電話番号を登録する電話帳記憶回路３８で構成され、電話機１からのＤＴＭＦ信号に基づいて情報処理装置３の電話サービスのアプリケーションである、例えば、電話番号の登録を実行する機能を有する。
【００５６】
図６のように構成される通信支援装置は、通信制御装置２に電源が供給されていない場合は、回線接続部５が電話機１と通信網４を直接接続し、通信制御装置２に電源が供給されている場合は、回線接続部５が制御用信号検出回路６を介して電話機１と通信網４とを接続する。制御用信号検出回路６は、電話機１と通信網４を接続する回線上のＤＴＭＦ信号を検出する。検出された結果が図２に示す制御信号に対応する場合、制御用信号検出回路６は、情報制御回路７にイベントとしてその情報を通知する。
【００５７】
ここで、制御信号解析回路３５によるＤＴＭＦ信号の解析の結果、例えば、電話機１からＤＴＭＦ信号'＊９'が押されていた場合、情報制御回路７は、現在通話中の第三者の電話番号を解析結果記憶回路３６に記憶する。
【００５８】
ダイヤルが終了すると、ダイヤル終了信号検出回路３３がダイヤルの終了を情報制御回路７に通知し、通知を受信した情報制御回路７は、電話帳登録回路３７に対して情報処理装置３の電話サービスのアプリケーションである電話番号の登録処理を実行するように制御する。
【００５９】
表示制御回路３４は、第三者の電話番号を登録するか否かを電話機１の使用者に判断させるため、表示部３にその旨を表示する。電話機１の使用者が登録することを判断した場合、電話帳登録回路３７は、解析結果記憶回路３６に記憶されている第三者の電話番号を読み出し、電話帳記憶回路３８に第三者の電話番号を記憶する。一方、電話機１の使用者が登録しないことを判断した場合、電話帳登録回路３７は、解析結果記憶回路３６に記憶されている第三者の電話番号を消去する。
【００６０】
また、図１、図４、図５、図６の通信支援装置の通信制御装置２は、電話機１及び情報処理装置３を通信網４に接続するモデムまたはターミナルアダプタと考えることができる。そこで、図７、図８、図９、図１０、図１１にモデムまたはターミナルアダプタを用いた通信支援装置の構成例を示す。
【００６１】
図７及び図８は、図１、図４、図５、図６と同様の構成を有し、通信制御装置２をモデム４１に置き換えた場合の構成例である。
【００６２】
図９及び図１０は、モデム内蔵電話機４２とコードレス電話機９を有するモデム内蔵電話機４３を利用した場合の構成例である。尚、モデム内蔵電話機４２及びモデム内蔵電話機４３は、モデムに電話機が付いた様なものでもかまわない。  図１１は、電話機付きモデム内蔵パソコン４４を利用した場合の構成例である。
【００６３】
図１２は、電話サービスのアプリケーションである会話中録音及び再生、通信データの転送、電話番号の電話帳登録等を行う本発明の通信支援装置の実施例を示す。
【００６４】
図１２において、通信支援装置は、電話機１０１と通信網１０２とリレー１０３とリレー制御１０４とＤＴＭＦ検出回路１０５と音声入出力回路１０６と音声符号化複合化回路１０７とデータ用変調復調回路１０８とＣＰＵ１０９とバス１１０とＰＣインターフェース１１１と情報処理装置１１２と切替器１１３と各種検出回路１１４と電話機表示部１１５と直流検出回路１１６と直流検出回路１１７で構成され、電話機１０１からのＤＴＭＦ信号によって電話サービスのアプリケーションである会話中録音及び再生、通信データの転送、電話番号の電話帳登録等を行う。
【００６５】
電話機１０１は、既存の音声送受信とダイヤル機能を有する。
【００６６】
通信網１０２は、公衆回線等の通信網を示す。
【００６７】
ＣＰＵ１０９は、バス１１０に接続された各回路からの通知を処理し、更にバス１１０に接続された各回路を制御する機能を有する。
【００６８】
直流検出回路１１６及び直流検出回路１１７は、回線切断及び電話機１０１のオンフックを検出する機能を有する。
【００６９】
リレー制御１０４は、ＣＰＵ１０９の制御によって後述するリレー１０３を制御する機能を有する。
【００７０】
リレー１０３は、電話機１０１及び通信網１０２を接続する回線を開閉する機能を有する。尚、通信支援装置に給電されている場合は、リレー制御１０４の制御によってリレー１０３は解放され、給電されてない場合は、閉じられている。  ＤＴＭＦ検出回路１０５は、電話機１０１からのＤＴＭＦ信号を検出する機能を有する。
【００７１】
音声入出力回路１０６は、電話機１０１と通信網１０２を接続する回線上の音声データを情報処理装置１１２に接続する機能を有する。
【００７２】
音声符号化複合化回路１０７は、音声を変調及び復調する機能を有する。
【００７３】
データ用変調復調回路１０８は、通信データを変調及び復調する機能を有する。
【００７４】
ＰＣインターフェース１１１は、モデムとしての通信制御手段１１８と情報処理装置１１２を接続する機能を有する。
【００７５】
情報処理装置１１２は、電話サービスを実行する機能を有する。
【００７６】
切替器１１３は、電話サービスの会話中録音及び再生を実行する時に音声符号化複合化回路１０７に接続され、通常は通信網１０２側に接続されている。
【００７７】
各種検出回路１１４は、ビジートーン（話し中を示す）、ＲＩＮＧトーン（第三者からの呼び出し音を示す）、ＲＢＴ（リングバックトーン：第三者に対する呼び出し音を示す）、オンフック、オフフックの各種状態を検出する機能を有する。
【００７８】
電話機表示部１１５は、電話サービスの電話番号の電話帳登録を実行するときに情報処理装置１１２からのメッセージを表示する機能を有する。
【００７９】
また、電話機１０１からの制御信号が図１２のようにＤＴＭＦ信号ではなくダイヤルパルスの場合は、図１３のようにＤＴＭＦ検出回路１０５をパルス信号検出回路２０５に置き換えることによって、図１２の通信支援装置と同様に電話サービスを実行することができる。更に電話機１０１からの制御信号が図３に示すような特定の周波数毎に割り当てられた信号の場合は、ＤＴＭＦ検出回路１０５を前記信号を検出可能な回路に置き換えることによって、図１２の通信支援装置と同様に電話サービスを実行することができる。
【００８０】
上記図１２のように構成される通信支援装置の通信制御手段１１８の基本動作を図１４に従って説明する。
【００８１】
通信支援装置の使用者が通信制御装置１１８に給電すると、ＣＰＵ１０９は通信制御装置１１８の初期化を実施する（Ｓ１）。通信制御装置１１８の初期化は、図１６のように通信制御装置１１８を構成する各回路のすべての設定値を初期化し（Ｓ１１）、更に直流検出回路１１６及び１１７からの通知により、ＣＰＵ１０９は、リレー制御回路１０４を制御し、電話機１０１がリレー１０３を通らずに通信網１０２と接続するようにリレー１０３を切り替える（Ｓ１２）。  次にＣＰＵ１０９はＰＣインターフェース１１１の初期化を実施する（Ｓ２）。ＰＣインターフェース１１１の初期化は、図１５のようにＣＰＵ１０９がステータス情報部に'データ有り'と設定し（Ｓ２１）、データ情報部に'００'と設定し（Ｓ２２）、データストローブ信号を'ＯＮ'として一定時間後、'ＯＦＦ'にする処理を実行する（Ｓ２３）。
【００８２】
通信制御装置１１８及びＰＣインターフェース１１１の初期化が終了すると、ＣＰＵ１０９は、電話機１０１からの制御処理を実行する（Ｓ３）。尚、図１２の通信制御装置１１８は給電された状態とし、リレー１０３は解放され、電話機１０１と通信網１０２は分離された状態とする。
【００８３】
ＣＰＵ１０９では、通信制御装置１１を構成する各回路からの通知、及び情報処理装置１１２からの通知に対して割り込み処理を実行して対処している。
【００８４】
割り込み処理プログラムは図２５に示す。ＣＰＵ１０９は、割り込みを受信すると情報処理装置１１２からの制御コマンドによる割り込みかどうかを確認する（Ｓ７３）。
【００８５】
その割り込みが情報処理装置１１２からの割り込みの場合（Ｓ７３、ＹＥＳ）、ＣＰＵ１０９は、制御コマンドが内部検出禁止コマンドか内部検出許可コマンドかを確認する（Ｓ７７、Ｓ７９）。どちらでもない場合は（Ｓ７７、ＮＯ）（Ｓ７９、ＮＯ）、ＣＰＵ１０９は割り込み処理を終了する。制御コマンドが内部検出禁止コマンドの場合（Ｓ７７、ＹＥＳ）、ＣＰＵ１０９は、各検出回路が信号を検出しないモードに設定する（Ｓ７８）。制御コマンドが内部検出許可コマンドの場合（Ｓ７９、ＹＥＳ）、ＣＰＵ１０９は、各検出回路が信号を検出するモードに設定する（Ｓ８０）。通信制御装置１１８は、予め各検出回路が信号を検出するモードに設定してあるものとする。
【００８６】
一方、ＣＰＵ１０９に対する割り込みが情報処理装置１１２からの割り込みでない場合（Ｓ７３、ＮＯ）、ＣＰＵ１０９は、各検出回路が信号を検出しないモードかどうかを確認し（Ｓ７４）、この場合、予め各検出回路が信号を検出するモードに設定してあるため（Ｓ７４、ＮＯ）、更に各検出回路からの信号かどうかを確認する（Ｓ７５）。ＣＰＵ１０９は、割り込みが各検出回路からの信号でない場合（Ｓ７５、ＮＯ）、割り込み処理を終了し、割り込みが各検出回路からの信号の場合（Ｓ７５、ＹＥＳ）、例えば、各種検出回路１１４がビジートーン、ＲＩＮＧトーン、ＲＢＴ、オンフック、オフフックの各種状態のいずれか一つを検出した場合、またはＤＴＭＦ検出回路１０５がＤＴＭＦ信号を検出した場合、各検出回路からの信号を記憶する（Ｓ７６）。
【００８７】
情報処理装置１１２は、先に記憶されている状態とＤＴＭＦ信号に基づいて電話サービスのアプリケーションである会話中録音及び再生、通信データの転送、電話番号の電話帳登録等を行う。
【００８８】
図２５の割り込み処理プログラムによってＤＴＭＦ検出回路１０５、各種検出回路１１４のいずれかから信号が検出された場合、通信制御装置１１８のＣＰＵ１０９は、図１７の検出信号読み取り処理を実施する（Ｓ３１）。検出信号読み取り処理の詳細は図２４に従って説明する。
【００８９】
ＣＰＵ１０９は、割り込み処理プログラムにより記憶されたＤＴＭＦ検出回路１０５、各種検出回路１１４のいずれかからの検出信号を読み出す（Ｓ６９）。尚、検出信号がない場合は（Ｓ７０、ＮＯ）、ＣＰＵ１０９は検出信号読み取り処理を終了する。
【００９０】
検出信号が記憶されている場合（Ｓ７０、ＹＥＳ）、割り込み処理プログラムにより記憶されたＤＴＭＦ検出回路１０５、各種検出回路１１４のいずれかからの検出信号を消去（初期化）し（Ｓ７１）、ステップ６９にて読み出した検出信号をリターン値として検出信号読み取り処理を終了する（Ｓ７２）。
【００９１】
図１７において、検出信号読み取り処理が図２４のステップ７２をもって終了すると、ＣＰＵ１０９は、各種検出回路１１４及びＤＴＭＦ検出回路１０５にて検出したオフフック、オンフック、リングトーン、ＲＢＴ、ビジートーン、ＤＴＭＦ信号の内、いずれの検出信号が記憶されているかを確認する（Ｓ３２、Ｓ３３、Ｓ３４、Ｓ３５、Ｓ３６、Ｓ３７）。
【００９２】
各種検出回路１１４にてオフフックが検出された場合（Ｓ３２、ＹＥＳ）、ＣＰＵ１０９は、オフフック処理を実行する（Ｓ３９）。オフフック処理の詳細を図１８に従って説明する。ＣＰＵ１０９は状態を記憶するステータス情報部に、検出信号があったことを、例えば、'データ有り'のようなデータで設定する（Ｓ５１）。更にＣＰＵ１０９は、データ情報部にオフフックを意味する、例えば、'０１'を設定し（Ｓ５２）、オフフック'０１'をイベントとして情報処理装置１１２に通知する（Ｓ５３）。
【００９３】
各種検出回路１１４にてオンフックが検出された場合（Ｓ３３、ＹＥＳ）、ＣＰＵ１０９は、オンフック処理を実行する（Ｓ４０）。オンフック処理の詳細を図１９に従って説明する。ＣＰＵ１０９は状態を記憶するステータス情報部に、検出信号があったことを、例えば、'データ有り'のようなデータで設定する（Ｓ５４）。更にＣＰＵ１０９は、データ情報部にオンフックを意味する、例えば、'０２'を設定し（Ｓ５５）、オンフック'０２'をイベントとして情報処理装置１１２に通知する（Ｓ５６）。
【００９４】
各種検出回路１１４にてリングトーンが検出された場合（Ｓ３４、ＹＥＳ）、ＣＰＵ１０９は、リング処理を実行する（Ｓ４１）。リング処理の詳細を図２０に従って説明する。ＣＰＵ１０９は状態を記憶するステータス情報部に、検出信号があったことを、例えば、'データ有り'のようなデータで設定する（Ｓ５７）。更にＣＰＵ１０９は、データ情報部にリングトーンを意味する、例えば、'０３'を設定し（Ｓ５８）、リングトーン'０３'をイベントとして情報処理装置１１２に通知する（Ｓ５９）。
【００９５】
各種検出回路１１４にてＲＢＴが検出された場合（Ｓ３５、ＹＥＳ）、ＣＰＵ１０９は、ＲＢＴ処理を実行する（Ｓ４２）。ＲＢＴ処理の詳細を図２１に従って説明する。ＣＰＵ１０９は状態を記憶するステータス情報部に、検出信号があったことを、例えば、'データ有り'のようなデータで設定する（Ｓ６０）。更にＣＰＵ１０９は、データ情報部にＲＢＴを意味する、例えば、'０４'を設定し（Ｓ６１）、ＲＢＴ'０４'をイベントとして情報処理装置１１２に通知する（Ｓ６２）。
【００９６】
各種検出回路１１４にてビジートーンが検出された場合（Ｓ３６、ＹＥＳ）、ＣＰＵ１０９は、ビジートーン処理を実行する（Ｓ４３）。ビジートーン処理の詳細を図２３に従って説明する。ＣＰＵ１０９は状態を記憶するステータス情報部に、検出信号があったことを、例えば、'データ有り'のようなデータで設定する（Ｓ６６）。更にＣＰＵ１０９は、データ情報部にビジートーンを意味する、例えば、'０５'を設定し（Ｓ６７）、ビジートーン'０５'をイベントとして情報処理装置１１２に通知する（Ｓ６８）。
【００９７】
ＤＴＭＦ検出回路１０５にてＤＴＭＦ信号が検出された場合（Ｓ３７、ＹＥＳ）、ＣＰＵ１０９は、ＤＴＭＦ処理を実行する（Ｓ４４）。ＤＴＭＦ処理の詳細を図２２に従って説明する。ＣＰＵ１０９は状態を記憶するステータス情報部に、検出信号があったことを、例えば、'データ有り'のようなデータで設定する（Ｓ６３）。更にＣＰＵ１０９は、データ情報部にＤＴＭＦ信号を意味する、例えば、図２の示す'＊１'を設定し（Ｓ６４）、ＤＴＭＦ'＊'と'１'の２回のイベントを情報処理装置１１２に通知する（Ｓ６５）。
【００９８】
図１７の処理において、各種検出回路１１４及びＤＴＭＦ検出回路１０５にてオフフック、オンフック、リングトーン、ＲＢＴ、ビジートーン、ＤＴＭＦ信号が検出され、更にイベントが発生すると情報処理装置１１２では、図２６に示すような電話サービスのアプリケーションが動作する。
【００９９】
情報処理装置１１２に給電されてからアプリケーションが終了するまでの処理を図２６に従って説明する。
【０１００】
情報処理装置１１２は、内蔵されているアプリケーションを起動し、電話サービスとしての会話中録音及び再生処理、通信データの転送処理、電話番号の電話帳登録処理を初期化し（Ｓ１０１）、更にダイアログ画面表示処理を実行し（Ｓ１０２）、ＣＰＵ１０９からのイベント待ち処理に移行する（Ｓ１０３）。
【０１０１】
ここで、各種検出回路１１４及びＤＴＭＦ検出回路１０５にてオフフック、オンフック、リングトーン、ＲＢＴ、ビジートーン、ＤＴＭＦ信号が検出され、イベントが発生すると情報処理装置１１２では、電話サービスを実行する各処理に対してイベントを通知するイベント振り分け処理を実行する（Ｓ１０４）。
【０１０２】
各種検出回路１１４にてオフフック、オンフック、リングトーン、ＲＢＴ、ビジートーンが検出された場合、情報処理装置１１２は、イベントを検出して実行する電話の状態検出処理を実行し（Ｓ１０５）、電話の状態検出処理が終了すると、また次のイベントの発生を待つ処理に移行する（Ｓ１０３）。
【０１０３】
ＤＴＭＦ検出回路１０５にてＤＴＭＦ信号が検出された場合、情報処理装置１１２は、ＤＴＭＦ信号のイベントを検出して実行するＤＴＭＦ検出後処理を実行し（Ｓ１０６）、ＤＴＭＦ検出後処理が終了すると、また次のイベントの発生を待つ処理に移行する（Ｓ１０３）。尚、その他のイベントが発生した場合は（Ｓ１０７）、また次のイベントの発生を待つ処理に移行する（Ｓ１０３）。
【０１０４】
図２７は、図２６のステップ１０５における電話の状態検出処理の詳細を示すフローである。電話の状態検出処理を図２７に従って説明する。
【０１０５】
情報処理装置１１２は、オフフック、オンフック、リングトーン、ＲＢＴ、ビジートーンによるイベントが発生した場合に処理を行う（Ｓ１１１、Ｓ１１３、Ｓ１１５、Ｓ１２３、Ｓ１２５）。
【０１０６】
オンフックによるイベントが発生した場合（Ｓ１１１、ＹＥＳ）、情報処理装置１１２は、電話サービスの一つである電話番号の登録処理を実行する（Ｓ１１２）。電話番号の登録処理において、情報処理装置１１２は、ダイヤル中フラグがオンの場合（Ｓ１２７、ＮＯ）、電話機表示部１１５に現在かけている電話番号を表示し（Ｓ１１７）、更にその電話番号を電話帳に登録するかどうかのメッセージを表示し（Ｓ１１８）、電話機１０１の使用者の判断による入力を待つ処理に移行する（Ｓ１１９）。電話機１０１の使用者が登録すると判断した場合（Ｓ１２０、ＹＥＳ）、情報処理装置１１２は、電話番号の登録処理を実行し（Ｓ１２１）、ＤＴＭＦ記憶部内のデータを全て初期化し（Ｓ１２２）、更にダイヤル中フラグをオフとして電話帳登録処理を終了する（Ｓ１２８）。また、ステップ１２０において電話機１０１の使用者が登録しないと判断した場合（Ｓ１２０、ＮＯ）、及びステップ１２７においてダイヤル中フラグがオフの場合（Ｓ１２７、ＹＥＳ）、情報処理装置１１２は、ＤＴＭＦ記憶部内のデータを全て初期化する（Ｓ１２２）。
【０１０７】
オフフックによるイベントが発生した場合も（Ｓ１１３、ＴＥＳ）、情報処理装置１１２は、ＤＴＭＦ記憶部内のデータを全て初期化する（Ｓ１１４）。
【０１０８】
ＲＢＴによるイベントが発生した場合（Ｓ１１５、ＹＥＳ）、情報処理装置１１２は、電話サービスの一つである電話番号の登録処理を実行する（Ｓ１１６）。電話番号の登録処理において、情報処理装置１１２は、ダイヤル中フラグがオンの場合（Ｓ１２７、ＮＯ）、電話機表示部１１５に現在かけている電話番号を表示し（Ｓ１１７）、更にその電話番号を電話帳に登録するかどうかのメッセージを表示し（Ｓ１１８）、電話機１０１の使用者の判断による入力を待つ処理に移行する（Ｓ１１９）。電話機１０１の使用者が登録すると判断した場合（Ｓ１２０、ＹＥＳ）、情報処理装置１１２は、電話番号の登録処理を実行し（Ｓ１２１）、ＤＴＭＦ記憶部内のデータを全て初期化し（Ｓ１２２）、更にダイヤル中フラグをオフとして電話帳登録処理を終了する（Ｓ１２８）。また、ステップ１２０において電話機１０１の使用者が登録しないと判断した場合（Ｓ１２０、ＮＯ）、及びステップ１２７においてダイヤル中フラグがオフの場合（Ｓ１２７、ＹＥＳ）、情報処理装置１１２は、ＤＴＭＦ記憶部内のデータを全て初期化する（Ｓ１２２）。
【０１０９】
リングトーンによるイベントが発生した場合（Ｓ１２３、ＹＥＳ）、情報処理装置１１２は、ＤＴＭＦ記憶部内のデータを全て初期化する（Ｓ１２４）。
【０１１０】
ビジートーンによるイベントが発生した場合（Ｓ１２５、ＹＥＳ）、情報処理装置１１２は、情報処理装置１１２は、電話サービスの一つである電話番号の登録処理を実行する（Ｓ１１６）。電話番号の登録処理において、情報処理装置１１２は、ダイヤル中フラグがオンの場合（Ｓ１２７、ＮＯ）、電話機表示部１１５に現在かけている電話番号を表示し（Ｓ１１７）、更にその電話番号を電話帳に登録するかどうかのメッセージを表示し（Ｓ１１８）、電話機１０１の使用者の判断による入力を待つ処理に移行する（Ｓ１１９）。電話機１０１の使用者が登録すると判断した場合（Ｓ１２０、ＹＥＳ）、情報処理装置１１２は、電話番号の登録処理を実行し（Ｓ１２１）、ＤＴＭＦ記憶部内のデータを全て初期化し（Ｓ１２２）、更にダイヤル中フラグをオフとして電話帳登録処理を終了する（Ｓ１２８）。また、ステップ１２０において電話機１０１の使用者が登録しないと判断した場合（Ｓ１２０、ＮＯ）、及びステップ１２７においてダイヤル中フラグがオフの場合（Ｓ１２７、ＹＥＳ）、情報処理装置１１２は、ＤＴＭＦ記憶部内のデータを全て初期化する（Ｓ１２２）。
【０１１１】
また、情報処理装置１１２は、オフフック、オンフック、リングトーン、ＲＢＴ、ビジートーンによるイベントが発生していない場合（Ｓ１１１、ＮＯ）（Ｓ１１３、ＮＯ）（Ｓ１１５、ＮＯ）（Ｓ１２３、ＮＯ）（Ｓ１２５、ＮＯ）、電話の状態検出処理を終了する。
【０１１２】
図２８は、図２６のステップ１０６におけるＤＴＭＦ検出後処理の詳細を示すフローである。ＤＴＭＦ検出後処理を図２８に従って説明する。
【０１１３】
ＤＴＭＦ検出回路１０５にてＤＴＭＦ信号が検出された場合、情報処理装置１１２は、電話サービスのアプリケーションである会話中録音及び再生、通信データの転送を行う。
【０１１４】
情報処理装置１１２は、ＤＴＭＦ信号として、例えば、'＊'が押されたかどうかを確認する（Ｓ１３１）。ＤＴＭＦ信号'＊'が押された場合（Ｓ１３１、ＹＥＳ）、情報処理装置１１２は、次のＤＴＭＦ信号を待つファンクション状態に移行する（Ｓ１３２）。一方、'＊'以外のＤＴＭＦ信号が押された場合は（Ｓ１３１、ＮＯ）、情報処理装置１１２がファンクション状態かどうかを確認する（Ｓ１３３）。
【０１１５】
情報処理装置１１２がファンクション状態以外の場合（Ｓ１３３、ＮＯ）、電話機１０１の使用者がダイヤル中であれば（Ｓ１４７）、情報処理装置１１２は、そのＤＴＭＦ信号をＤＴＭＦ記憶部に記憶する（Ｓ１４８）。
【０１１６】
一方、情報処理装置１１２がファンクション状態の場合（Ｓ１３３、ＹＥＳ）、情報処理装置１１２は、電話サービスを実行するファンクション処理に移行する（Ｓ１３４）。ファンクション処理において、情報処理装置１１２は、ＤＴＭＦ信号'＊'の次に押されたＤＴＭＦ信号を検出する（Ｓ１３５、Ｓ１３７、Ｓ１３９、Ｓ１４１、Ｓ１４３、Ｓ１４５）。
【０１１７】
例えば、図２に示すようにＤＴＭＦ信号'１'が押された場合（Ｓ１３５）、情報処理装置１１２は、電話サービスの一つである会話の録音を開始する（Ｓ１３６）。
【０１１８】
例えば、図２に示すようにＤＴＭＦ信号'２'が押された場合（Ｓ１３７）、情報処理装置１１２は、電話サービスの一つである会話の録音を終了する（Ｓ１３８）。
【０１１９】
例えば、図２に示すようにＤＴＭＦ信号'３'が押された場合（Ｓ１３９）、情報処理装置１１２は、電話サービスの一つである録音されている会話の再生を開始する（Ｓ１４０）。
【０１２０】
例えば、図２に示すようにＤＴＭＦ信号'４'が押された場合（Ｓ１４１）、情報処理装置１１２は、電話サービスの一つである録音されている会話の再生を終了する（Ｓ１４２）。
【０１２１】
例えば、図２に示すようにＤＴＭＦ信号'７'が押された場合（Ｓ１４３）、情報処理装置１１２は、電話サービスの一つである通信データの転送を開始する（Ｓ１４４）。
【０１２２】
例えば、図２に示すようにＤＴＭＦ信号'８'が押された場合（Ｓ１４５）、情報処理装置１１２は、電話サービスの一つである通信データの転送を終了する（Ｓ１４６）。
【０１２３】
尚、図１２及び図１３のＣＰＵ１０９は、メモリ格納されたプログラムで動作する。また、情報処理装置１１２は、内部にプロセッサとメモリを有し、メモリ内のプログラムを処理するものである。本実施例で開示した種々のフローチャートの動作を、これらのプログラムで動作させても良い。その場合、それらのプログラムは、フロッピー（登録商標）、ＣＤ−ＲＯＭ等の媒体で提供され、実施例の装置にインストールすることも可能である。
【図面の簡単な説明】
【０１２４】
【図１】本発明の通信支援装置の概念図である。
【図２】ＤＴＭＦ信号及びダイヤルトーンを利用した制御信号の例である。
【図３】周波数毎に割り当てられた制御信号の例である。
【図４】第１実施形態の概念図である。
【図５】第２実施形態の概念図である。
【図６】第３実施形態の概念図である。
【図７】通信支援装置の構成例である。
【図８】通信支援装置の構成例である。
【図９】通信支援装置の構成例である。
【図１０】通信支援装置の構成例である。
【図１１】通信支援装置の構成例である。
【図１２】本発明の実施例である。
【図１３】本発明の実施例である。
【図１４】ＣＰＵの基本フローである。
【図１５】ＰＣインターフェース初期化のフローである。
【図１６】初期化のフローである。
【図１７】制御処理メインのフローである。
【図１８】オフフック処理のフローである。
【図１９】オンフック処理のフローである。
【図２０】リング処理のフローである。
【図２１】ＲＢＴ処理のフローである。
【図２２】ＤＴＭＦ処理のフローである。
【図２３】ビジートーン処理のフローである。
【図２４】検出信号読み取り処理のフローである。
【図２５】割り込み処理のフローである。
【図２６】アプリケーションメイン処理のフローである。
【図２７】電話の状態検出処理のフローである。
【図２８】ＤＴＭＦ信号検出後処理のフローである。
【図２９】従来の通信支援装置である。
【符号の説明】
【０１２５】
１      電話機
２      通信制御装置
３      情報処理装置
４      通信網
５      回線接続部
６      制御用信号検出回路
７      情報制御回路
８      無線信号変換回路
９      コードレス電話機
１０    音声入出力制御回路
１１    制御信号解析回路
１２    音声録音回路
１３    音声再生回路
１４    音声形式変換回路
１５    音声データ蓄積回路
１６    音声符号化複合化回路
１７    データ用変調復調回路
１８    制御信号解析回路
１９    データ送出回路
２０    データ受信回路
２１    データ蓄積回路
２２    切替器
３１    無線信号変換回路
３２    表示部
３３    ダイヤル終了信号検出回路
３４    表示制御回路
３５    制御信号解析回路
３６    解析結果記憶回路
３７    電話帳登録回路
３８    電話帳記憶回路
４１    モデム
４２    モデム内蔵電話機
４３    モデム内蔵電話機
４４    電話機付きモデム内蔵パソコン
１０１  電話機
１０２  通信網
１０３  リレー
１０４  リレー制御
１０５  ＤＴＭＦ検出回路
１０６  音声入出力回路
１０７  音声符号化複合化回路
１０８  データ用変調復調回路
１０９  ＣＰＵ
１１０  バス
１１１  ＰＣインターフェース
１１２  情報処理装置
１１３  切替器
１１４  各種検出回路
１１５  電話機表示部
１１６  直流検出回路
１１７  直流検出回路
２０５  パルス信号検出回路
３０１  電話機
３０２  通信網
３０３  回線接続部
３０４  情報処理装置
３０５  音声入出力回路
３０６  ダイヤル回路
３０７  各種検出回路
３０８  ＰＣインターフェース
【図１】
2006157978.tif 000003
【図２】
2006157978.tif 000004
【図３】
2006157978.tif 000005
【図４】
2006157978.tif 000006
【図５】
2006157978.tif 000007
【図６】
2006157978.tif 000008
【図７】
2006157978.tif 000009
【図８】
2006157978.tif 000010
【図９】
2006157978.tif 000011
【図１０】
2006157978.tif 000012
【図１１】
2006157978.tif 000013
【図１２】
2006157978.tif 000014
【図１３】
2006157978.tif 000015
【図１４】
2006157978.tif 000016
【図１５】
2006157978.tif 000017
【図１６】
2006157978.tif 000018
【図１７】
2006157978.tif 000019
【図１８】
2006157978.tif 000020
【図１９】
2006157978.tif 000021
【図２０】
2006157978.tif 000022
【図２１】
2006157978.tif 000023
【図２２】
2006157978.tif 000024
【図２３】
2006157978.tif 000025
【図２４】
2006157978.tif 000026
【図２５】
2006157978.tif 000027
【図２６】
2006157978.tif 000028
【図２７】
2006157978.tif 000029
【図２８】
2006157978.tif 000030
【図２９】
2006157978.tif 000031